(57)【要約】【課題】より簡単な構成で張力調整の精度を向上させることを可能とするエスカレータ用移動手摺の張力調整装置を提供することである。【解決手段】移動手摺１２が取り付けられる手摺レール１４の一部に設けられた可撓性ガイド部２２を所定荷重で押圧して移動手摺１２の張力を調整する張力調整器具３０であって、可撓性ガイド部２２に当接する当接部３６と、一方端が当接部３６に接続される付勢部３４と、付勢部３４の他方端を押圧し、付勢部３４を予め定められた大きさに縮めるように移動可能な押圧部３８と、を備える。【選択図】図３
2015036329.tif 000002
【特許請求の範囲】
【請求項１】
移動手摺が取り付けられる手摺レールの一部に設けられた可撓性ガイド部を所定荷重で押圧して前記移動手摺の張力を調整するエスカレータ用移動手摺の張力調整器具であって、
前記可撓性ガイド部に当接する当接部と、
一方端が前記当接部に接続される付勢部と、
前記付勢部の他方端を押圧し、前記付勢部を予め定められた大きさに縮めるように移動可能な押圧部と、
を備えることを特徴とするエスカレータ用移動手摺の張力調整器具。
【請求項２】
請求項１に記載のエスカレータ用移動手摺の張力調整装置において、
前記張力調整装置を前記可撓性ガイド部の近傍の躯体に取り付ける取付部をさらに備えることを特徴とするエスカレータ用移動手摺の張力調整器具。
【発明の詳細な説明】
【技術分野】
【０００１】
本発明は、エスカレータ用移動手摺の張力調整装置に関する。
【背景技術】
【０００２】
エスカレータでは、無端状の移動手摺が、欄干上及びトラス内に設けられた手摺レールに対して移動可能に取り付けられている。そして、手摺レールの一部には、移動手摺の張力を調整するための可撓性ガイド部が設けられており、このガイド部の架設長さを調整することで、移動手摺の緩みや過大張力を解消して適切な張力に設定することができる。
【０００３】
具体的には、従来における移動手摺の張力調整は、次のようにして行われる。まず、可撓性ガイド部の上方に位置するインナーデッキボード等を取り外し、可撓性ガイド部を固定するボルトを緩める。続いて、テンションゲージを用いて移動手摺の張力が所定範囲内に入るように、可撓性ガイド部を介して移動手摺を所定の力（例えば、２０ｋｇ）で押圧し可撓性ガイド部の架設長さを調整する。そして、その押圧力を維持しながら又は押圧力を少し緩めて、ボルトを再び締結し可撓性ガイド部を固定することで移動手摺の張力を調整する。
【０００４】
かかる張力調整方法では、作業者がテンションゲージを欄干パネルとステップ（スカートガード）との間の僅かなスペースから差し込んで移動手摺を押圧するため、移動手摺を押圧することが難しく精度良く張力調整するためには熟練を要していた。
【０００５】
このような状況に鑑みて、特許文献１には、欄干パネルとステップとの隙間から油圧シリンダを差し込み、ピストンロッドが可撓性ガイド部の背面を略垂直に押圧するようにした張力調整方法が提案されている。
【先行技術文献】
【特許文献】
【０００６】
【特許文献１】特開２００８−２３９２６９号公報
【発明の概要】
【発明が解決しようとする課題】
【０００７】
上記特許文献１に開示された技術によれば、作業性が改善され、張力調整の精度を向上させることが可能であるが、より扱い易く簡単な器具を使用した張力調整方法が求められている。
【０００８】
本発明の目的は、より簡単な構成で張力調整の精度を向上させることを可能とするエスカレータ用移動手摺の張力調整装置を提供することである。
【課題を解決するための手段】
【０００９】
本発明に係るエスカレータ用移動手摺の張力調整器具は、移動手摺が取り付けられる手摺レールの一部に設けられた可撓性ガイド部を所定荷重で押圧して前記移動手摺の張力を調整するエスカレータ用移動手摺の張力調整器具であって、前記可撓性ガイド部に当接する当接部と、一方端が前記当接部に接続される付勢部と、前記付勢部の他方端を押圧し、前記付勢部を予め定められた大きさに縮めるように移動可能な押圧部と、を備えることを特徴とする。
【００１０】
また、本発明に係るエスカレータ用移動手摺の張力調整装置において、前記張力調整装置を前記可撓性ガイド部の近傍の躯体に取り付ける取付部をさらに備えることが好ましい。
【発明の効果】
【００１１】
本発明によれば、押圧部の移動によって付勢部が所定の大きさに縮まる。このため、付勢部はバネ定数と縮んだ距離に基づいて定まる力で当接部に力を与える。これにより、精度良く張力調整を行うことができる。
【図面の簡単な説明】
【００１２】
【図１】一般的なエスカレータを示す模式図である。
【図２】図１のＡ部拡大図であって、移動手摺を省略した図である。
【図３】本発明の実施形態の一例であるエスカレータの移動手摺の張力調整装置を示す図である。
【発明を実施するための形態】
【００１３】
以下に図面を用いて本発明に係る実施の形態につき、詳細に説明する。また、以下では、全ての図面において対応する要素には同一の符号を付し、重複する説明を省略する。
【００１４】
図１及び図２に、本発明の実施形態の一例であるエスカレータの移動手摺の張力調整器具３０（以下、張力調整器具３０という）を使用するエスカレータ１０を示す。エスカレータ１０は、複数のステップ１１が上階と下階との間を循環する昇降装置である。ステップ１１の両側には、ステップ１１と連動して動く移動手摺１２、移動手摺１２を移動可能に取り付ける欄干１３が設けられている。
【００１５】
ステップ１１は、無端状のステップチェーン１５に取り付けられている。ステップチェーン１５は、各スプロケット１６，１７に掛け渡されており、図示しない駆動装置によりスプロケット１６が回転させられる。これにより、ステップチェーン１５は、各スプロケット１６，１７の間で動き、ステップチェーン１５により連結された複数のステップ１１が上階側の乗降口１８と下階側の乗降口１９との間を循環する。
【００１６】
移動手摺１２は、欄干１３上に設けられた手摺レール１４に嵌め込まれて移動可能に取り付けられている。移動手摺１２は、図示しない手摺駆動装置によって動かされる。手摺駆動部は、ステップ１１を移動させる駆動装置によって駆動されるため、ステップ１１と移動手摺１２とが連動する。
【００１７】
欄干１３は、ステップ１１の両側に設けられた側壁である。欄干１３は、例えば、図示しない欄干フレームと、ガラス製、プラスチック製、又はステンレス製等の欄干パネル２０とを有する。欄干パネル２０の下方には、図示しないインナーデッキボード、スカートガード２１等が設置されている。例えば、インナーデッキボードは、欄干パネル２０とスカートガード２１との間の隙間を塞いで設けられる。
【００１８】
手摺レール１４は、乗降口１８から乗降口１９に亘って欄干１３上に設置されている。さらに、手摺レール１４は、エスカレータ１０の利用者からは見えないトラスＰ内にも設けられている。手摺レール１４は、例えば、トラスフレーム２６に固定されている。なお、図２（図１のＡ部拡大図であって、移動手摺１２を省略した図）に示すように、トラスＰ内に位置する手摺レール１４の一部は分断されている。そして、この分断部分に、移動手摺１２の張力を調整するための可撓性ガイド部２２が設けられている。
【００１９】
可撓性ガイド部２２は、例えば、プラスチック製の長尺状の薄板であり、固定金具２３が一端に設けられ、可動金具２４が他端に設けられている。そして、固定金具２３、可動金具２４、及びボルト２５により、分断された手摺レール１４を繋ぐように可撓性ガイド部２２が取り付けられている。可撓性ガイド部２２は、例えば、図示するように下方に向かって凸状に湾曲した状態で取り付けられている。
【００２０】
なお、可動金具２４には、孔の長形方向を可撓性ガイド部２２の長手方向とする細長いボルト孔が形成されている。これにより、可動金具２４の固定位置を可撓性ガイド部２２の長手方向にスライドさせることができ、可撓性ガイド部２２の架設長さを変更することができる。そして、可撓性ガイド部２２の架設長さを変更することで、可撓性ガイド部２２の湾曲の程度が変わり、移動手摺１２の張力が調整される。
【００２１】
図３は、張力調整器具３０の拡大図である。張力調整器具３０は、移動手摺１２が取り付けられる手摺レール１４の一部に設けられた可撓性ガイド部２２を所定荷重で押圧して移動手摺１２の張力を調整する装置である。張力調整器具３０は、収納部３２内に収納される付勢部３４、当接部３６、押圧部３８及び取付部４０を備える。
【００２２】
収納部３２は、上下に蓋部３２ａ，３２ｂが設けられた筒状の収容器である。収納部３２の内部に配置された付勢部３４は、バネ部材３４ａと、バネ部材３４ａの一方端に取り付けられる円形の板材３４ｂと、バネ部材３４ａの他方端に取り付けられる円形の板材３４ｃとを備える。ここでバネ部材３４ａのバネ定数はｋに設定されている。
【００２３】
収納部３２の蓋部３２ａの中央部には、ねじ切りされた貫通孔が形成されており、押圧部３８が螺合されている。押圧部３８の一方端は頭部であり、他方端は円形の板材３４ｂに接続されている。この押圧部３８は、図３に示されるようにΔＤだけ進入可能となるように取り付けられている。なお、ｋ×ΔＤの値が移動手摺１２の張力調整に必要な力（例えば、２０ｋｇ）となるように設定されている。
【００２４】
収納部３２の蓋部３２ｂの中央部には、貫通孔が形成されており、当接部３６は、この貫通孔に挿入されている。当接部３６の一方端は円形の板材３４ｃに接続され、他方端は収納部３２から突出している。
【００２５】
取付部４０は、収納部３２を可撓性ガイド部２２の近傍の躯体に取り付ける装置である。取付部４０は、収納部３２から延伸して二又に分かれた先端部４０ａ，４０ｂからなる。
【００２６】
先端部４０ａの中央部には、ねじ切りされた貫通孔が形成されている。そして、この貫通孔にはネジ部材４２ａが螺合されている。また、先端部４０ｂの中央部には、ねじ切りされた貫通孔が形成されている。そして、この貫通孔にはネジ部材４２ｂが螺合されている。
【００２７】
続いて、上記構成からなる張力調整器具３０の作用について説明する。作業員は、以下の手順で移動手摺１２の張力を調整する。まず、可撓性ガイド部２２の上方に位置するインナーデッキボード等を取り外し、可撓性ガイド部２２を固定するボルト２５を緩める。続いて、張力調整器具３０の当接部３６を可撓性ガイド部２２に接触させた状態で、張力調整器具３０の取付部４０を可撓性ガイド部２２の近傍の躯体に取り付ける。具体的には、躯体を二又に分かれた先端部４０ａ，４０ｂで挟み込んでネジ部材４２ａ，４２ｂを締め付けて固定する。
【００２８】
その後、押圧部３８の頭部が蓋部３２ａの上面に接触するまで押圧部３８をねじ込む。これにより、ｋ×ΔＤで定める力で当接部３６が押し付けられ、可撓性ガイド部２２の架設長さを調整することができる。そして、その押圧力を維持しながらボルト２５を再び締結し可撓性ガイド部２２を固定することで移動手摺１２の張力の調整が完了する。
【００２９】
このように張力調整器具３０を用いることで可撓性ガイド部２２の近傍の躯体に取付部４０を取り付けて、押圧部３８をねじ込むだけで移動手摺１２の張力を調整することができる。したがって、張力調整器具３０を用いれば熟練作業者でなくても簡単に張力調整を行うことができる利点がある。
【符号の説明】
【００３０】
１０  エスカレータ、１１  ステップ、１２  移動手摺、１３  欄干、１４  手摺レール、１５  ステップチェーン、１６，１７  スプロケット、１８，１９  乗降口、２０  欄干パネル、２１  スカートガード、２２  可撓性ガイド部、２３  固定金具、２４  可動金具、２５  ボルト、２６  トラスフレーム、３０  張力調整器具、３２  収納部、３２ａ，３２ｂ  蓋部、３４  付勢部、３４ａ  バネ部材、３４ｂ，３４ｃ  板材、３６  当接部、３８  押圧部、４０  取付部、４０ａ，４０ｂ  先端部、４２ａ，４２ｂ  ネジ部材。
【図１】
2015036329.tif 000003
【図２】
2015036329.tif 000004
【図３】
2015036329.tif 000005